(57)【特許請求の範囲】
【請求項１】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
外部と通信を行うための通信手段と、
を備える放射線画像撮影装置と、
前記放射線画像撮影装置と通信可能なコンソールと、
を備え、
前記放射線画像撮影装置の前記制御手段は、放射線が照射されない状態で前記放射線検出素子ごとにオフセットデータを読み出すオフセットデータの読み出し処理を行い、読み出した前記オフセットデータを前記コンソールに送信し、
前記コンソールは、
前記放射線画像撮影装置の前記信号線ごとに、前記オフセットデータの統計値を算出し、
ある前記信号線について算出した前記オフセットデータの統計値と他の前記信号線について算出した前記オフセットデータの統計値との相違が許容範囲を越える前記信号線が存在する場合に、当該放射線画像撮影装置で断線が生じていると判定することを特徴とする放射線画像撮影システム。
【請求項２】
前記コンソールは、
前記オフセットデータの統計値として、前記放射線画像撮影装置の前記信号線ごとに前記オフセットデータの標準偏差または分散を算出し、
算出した前記オフセットデータの標準偏差または分散が、他の前記信号線について算出した前記オフセットデータの標準偏差または分散と比較した際に、許容範囲を越えて小さい前記信号線が存在する場合に、当該放射線画像撮影装置で断線が生じていると判定することを特徴とする請求項１に記載の放射線画像撮影システム。
【請求項３】
前記コンソールは、
前記放射線画像撮影装置の前記信号線ごとに算出した前記オフセットデータの標準偏差または分散の中から平均値または中央値のいずれか一方と最小値とをそれぞれ抽出し、
前記信号線ごとの前記オフセットデータの標準偏差または分散の最小値の、前記信号線ごとの前記オフセットデータの標準偏差または分散の平均値または中央値に対する比が、設定された閾値未満である前記信号線が存在する場合に、当該放射線画像撮影装置で断線が生じていると判定することを特徴とする請求項２に記載の放射線画像撮影システム。
【請求項４】
前記コンソールは、前記放射線画像撮影装置の前記信号線ごとに前記オフセットデータの標準偏差または分散を算出する際に、当該信号線を複数の区分に分け、前記区分ごとに前記オフセットデータの標準偏差または分散を算出し、算出した前記区分ごとの前記オフセットデータの標準偏差または分散の平均値または中央値を、当該信号線の前記オフセットデータの標準偏差または分散として算出することを特徴とする請求項２または請求項３に記載の放射線画像撮影システム。
【請求項５】
前記コンソールは、
前記放射線検出素子ごとの前記オフセットデータと、当該放射線画像撮影装置で放射線が照射されない状態で、前記オフセットデータとは別の読み出し処理で読み出された前記放射線検出素子ごとの第２のオフセットデータとの差分を前記放射線検出素子ごとにそれぞれ算出し、
前記オフセットデータの代わりに、前記差分を対象として、当該放射線画像撮影装置で断線が生じているか否かを判定することを特徴とする請求項２から請求項４のいずれか一項に記載の放射線画像撮影システム。
【請求項６】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
外部と通信を行うための通信手段と、
を備える放射線画像撮影装置と、
前記放射線画像撮影装置と通信可能なコンソールと、
を備え、
前記放射線画像撮影装置の前記制御手段は、放射線が照射されない状態で前記放射線検出素子ごとにオフセットデータを読み出すオフセットデータの読み出し処理を行い、読み出した前記オフセットデータを前記コンソールに送信し、
前記コンソールは、
前記放射線画像撮影装置の前記走査線ごとに前記オフセットデータの標準偏差または分散を算出し、
算出した前記オフセットデータの標準偏差または分散が、他の前記走査線について算出した前記オフセットデータの標準偏差または分散と比較した際に、許容範囲を越える前記走査線が存在する場合に、当該放射線画像撮影装置で断線が生じていると判定することを特徴とする放射線画像撮影システム。
【請求項７】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
外部と通信を行うための通信手段と、
を備える放射線画像撮影装置と、
前記放射線画像撮影装置と通信可能なコンソールと、
を備え、
前記放射線画像撮影装置の前記制御手段は、放射線が照射されない状態で前記放射線検出素子ごとにオフセットデータを読み出すオフセットデータの読み出し処理を行い、読み出した前記オフセットデータを前記コンソールに送信し、
前記コンソールは、
前記放射線画像撮影装置の前記走査線ごとに、前記オフセットデータの平均値または中央値を算出し、
前記放射線画像撮影装置の前記走査線ごとに算出した前記オフセットデータの平均値または中央値の中から最小値または最大値と、前記走査線ごとの前記オフセットデータの平均値または中央値の平均値または中央値とをそれぞれ抽出し、
前記走査線ごとの前記オフセットデータの平均値または中央値の最小値の、前記走査線ごとの前記オフセットデータの平均値または中央値の平均値または中央値に対する差が、設定された閾値未満である前記走査線が存在する場合、または、前記走査線ごとの前記オフセットデータの平均値または中央値の最大値の、前記走査線ごとの前記オフセットデータの平均値または中央値の平均値または中央値に対する差が、設定された閾値を越える前記走査線が存在する場合に、当該放射線画像撮影装置で断線が生じていると判定することを特徴とする放射線画像撮影システム。
【請求項８】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
外部と通信を行うための通信手段と、
を備える放射線画像撮影装置と、
前記放射線画像撮影装置と通信可能なコンソールと、
を備え、
前記放射線画像撮影装置の前記制御手段は、放射線が照射されない状態で前記放射線検出素子ごとにオフセットデータを読み出すオフセットデータの読み出し処理を行い、読み出した前記オフセットデータを前記コンソールに送信し、
前記コンソールは、
前記放射線画像撮影装置の前記走査線ごとに、前記オフセットデータの平均値または中央値を算出し、
ある前記走査線について算出した前記オフセットデータの平均値または中央値と、当該走査線から所定範囲内にある前記走査線について算出した前記オフセットデータの平均値または中央値の移動平均との差を算出し、
算出した前記差の絶対値が、設定された閾値を越える前記走査線が存在する場合に、当該放射線画像撮影装置で断線が生じていると判定することを特徴とする放射線画像撮影システム。
【請求項９】
前記コンソールは、
前記放射線検出素子ごとの前記オフセットデータと、前記放射線画像撮影装置で断線が生じる前に当該放射線画像撮影装置で放射線が照射されない状態で読み出された前記放射線検出素子ごとの第２のオフセットデータとの差分を前記放射線検出素子ごとにそれぞれ算出し、
前記オフセットデータの代わりに、前記差分を対象として、当該放射線画像撮影装置で断線が生じているか否かを判定することを特徴とする請求項６から請求項８のいずれか一項に記載の放射線画像撮影システム。
【請求項１０】
前記コンソールは、前記放射線画像撮影装置の１本の前記信号線ごと、または１本の前記走査線ごとに算出した前記オフセットデータの統計値の代わりに、前記放射線画像撮影装置の複数本の前記信号線ごと、または複数本の前記走査線ごとに算出した前記オフセットデータの統計値を対象として、当該放射線画像撮影装置で断線が生じているか否かを判定することを特徴とする請求項１から請求項９のいずれか一項に記載の放射線画像撮影システム。
【請求項１１】
前記放射線画像撮影装置は、衝撃を検知する衝撃検知手段を備え、
前記放射線画像撮影装置の前記制御手段は、前記衝撃検知手段が衝撃を検知した時点で、前記オフセットデータの読み出し処理を開始することを特徴とする請求項１から請求項１０のいずれか一項に記載の放射線画像撮影システム。
【請求項１２】
前記コンソールは、前記放射線画像撮影装置で断線が生じていると判定すると、自ら前記放射線画像撮影装置で断線が生じている可能性があることを報知し、および／または外部の報知手段により前記放射線画像撮影装置で断線が生じている可能性があることを報知させることを特徴とする請求項１から請求項１１のいずれか一項に記載の放射線画像撮影システム。
【請求項１３】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
を備え、
前記制御手段は、
放射線が照射されない状態で前記放射線検出素子ごとにオフセットデータを読み出すオフセットデータの読み出し処理を行い、
前記信号線ごとに前記オフセットデータの統計値を算出し、
ある前記信号線について算出した前記オフセットデータの統計値と他の前記信号線について算出した前記オフセットデータの統計値との相違が許容範囲を越える前記信号線が存在する場合に、断線が生じていると判定することを特徴とする放射線画像撮影装置。
【請求項１４】
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
を備え、
前記制御手段は、
放射線が照射されない状態で前記放射線検出素子ごとにオフセットデータを読み出すオフセットデータの読み出し処理を行い、
前記走査線ごとに前記オフセットデータの標準偏差または分散を算出し、
ある前記走査線について算出した前記オフセットデータの標準偏差または分散と他の前記走査線について算出した前記オフセットデータの標準偏差または分散との相違が許容範囲を越える前記走査線が存在する場合に、断線が生じていると判定することを特徴とする放射線画像撮影装置。
【請求項１５】
前記制御手段は、断線が生じていると判定すると、当該放射線画像撮影装置に、および／または外部の報知手段に、当該放射線画像撮影装置で断線が生じている可能性があることを報知させることを特徴とする請求項１３または請求項１４に記載の放射線画像撮影装置。
【発明の詳細な説明】
【技術分野】
【０００１】
本発明は、放射線画像撮影システムおよび放射線画像撮影装置に関する。
【背景技術】
【０００２】
近年、放射線検出素子を二次元状に配列し、放射線照射装置から照射され被写体を透過した放射線に応じて放射線検出素子内で発生した電荷を画像データとして読み取る放射線画像撮影装置（Flat Panel Detector）が種々開発されており、病院等の施設で放射線画像撮影に用いられている。また、近年、放射線検出素子等が形成されたセンサーパネル等を筐体内に収納し、持ち運び可能とした可搬型の放射線画像撮影装置も開発され、実用化されている。
【０００３】
そして、例えば可搬型の放射線画像撮影装置の場合、放射線画像撮影装置を持ち運んでいる際等に放射線画像撮影装置を落下させてしまい、放射線画像撮影装置が床面等にぶつかって放射線画像撮影装置内の配線が断線してしまう可能性がある。また、従来の、支持台等と一体的に形成された、いわゆる専用機型（据え付け型、固定型等ともいう。）の放射線画像撮影装置においても、例えば、経年劣化等により配線の基板への取り付け部分が剥がれる等して配線が断線する場合があり得る。
【０００４】
このように放射線画像撮影装置に断線が生じたことに気付かずに放射線画像撮影装置に放射線を照射して撮影を行うと、放射線画像が適切に得られないため、例えば別の放射線画像撮影装置を用いる等して再撮影を行うことが必要になるが、被写体である患者に再度放射線を照射しなければならず、患者の被曝線量が増大してしまう等の問題が生じる。
【０００５】
そこで、例えば特許文献１では、例えば可搬型の放射線画像撮影装置を落下させる等して放射線画像撮影装置に衝撃が加わったことを検知すると、放射線画像撮影装置に放射線を照射しない状態で各放射線検出素子から読み出された画像すなわちオフセット画像を解析して、放射線画像撮影装置が使用可能な否かを診断する放射線画像撮影装置や放射線画像撮影システム等の発明が記載されている。
【先行技術文献】
【特許文献】
【０００６】
【特許文献１】特開２０１１−６７３３４号公報
【発明の概要】
【発明が解決しようとする課題】
【０００７】
しかしながら、特許文献１に記載された発明では、放射線画像撮影装置の各放射線検出素子から読み出されたオフセット画像の画素値（すなわちオフセットデータ）が異常値になっているか否かを判断しており、各放射線検出素子（すなわち各画素）が故障しているか否かを判断しているが、例えば、後述するように、落下の衝撃で基板が割れたり、落下の衝撃や経年劣化等で配線の基板への取り付け部分が剥がれる等して配線が断線する場合には、各放射線検出素子は正常であっても、結局、その配線に接続されている全ての放射線検出素子から正常なデータが読み出せなくなる場合がある。
【０００８】
また、後述するように、放射線画像撮影装置のある配線が断線しているか否かを判定する際に、各放射線検出素子から読み出されたオフセットデータの分散や標準偏差を、他の配線に接続されている各放射線検出素子から読み出されたオフセットデータの分散や標準偏差と比較すると断線しているか否かを的確に判定することができる場合がある。
【０００９】
しかし、特許文献１に記載された発明では、同文献の図６に示されているように、オフセット画像に５つの測定領域を設け、各測定領域内での二乗平均平方根を算出してＲＭＳ粒状性を求め、各測定領域のＲＭＳ粒状性を比較して規定範囲に入っているか否か等を確認するように構成されているが、これでは、各測定領域外で断線が生じている場合には、断線が生じていることを検知することができない。
【００１０】
本発明は、上記の問題点を鑑みてなされたものであり、放射線画像撮影装置に断線が生じているか否かを的確に判定することが可能な放射線画像撮影システムや放射線画像撮影装置を提供することを目的とする。
【課題を解決するための手段】
【００１１】
前記の問題を解決するために、本発明の放射線画像撮影システムは、
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
外部と通信を行うための通信手段と、
を備える放射線画像撮影装置と、
前記放射線画像撮影装置と通信可能なコンソールと、
を備え、
前記放射線画像撮影装置の前記制御手段は、放射線が照射されない状態で前記放射線検出素子ごとにオフセットデータを読み出すオフセットデータの読み出し処理を行い、読み出した前記オフセットデータを前記コンソールに送信し、
前記コンソールは、
前記放射線画像撮影装置の前記信号線ごとに、前記オフセットデータの統計値を算出し、
ある前記信号線について算出した前記オフセットデータの統計値と他の前記信号線について算出した前記オフセットデータの統計値との相違が許容範囲を越える前記信号線が存在する場合に、当該放射線画像撮影装置で断線が生じていると判定することを特徴とする。
【００１２】
また、本発明の放射線画像撮影装置は、
複数の走査線および複数の信号線と、
二次元状に配列された複数の放射線検出素子と、
前記各走査線に印加する電圧をオン電圧とオフ電圧との間で切り替える走査駆動手段と、
前記各走査線に接続され、オフ電圧が印加されると前記放射線検出素子内に電荷を蓄積させ、オン電圧が印加されると前記放射線検出素子に蓄積された電荷を前記信号線に放出させるスイッチ素子と、
前記放射線検出素子から放出された前記電荷をデータとして読み出す読み出し回路と、
少なくとも前記走査駆動手段と前記読み出し回路とを制御して前記データの読み出し処理を行わせる制御手段と、
を備え、
前記制御手段は、
放射線が照射されない状態で前記放射線検出素子ごとにオフセットデータを読み出すオフセットデータの読み出し処理を行い、
前記信号線ごとに前記オフセットデータの統計値を算出し、
ある前記信号線について算出した前記オフセットデータの統計値と他の前記信号線について算出した前記オフセットデータの統計値との相違が許容範囲を越える前記信号線が存在する場合に、断線が生じていると判定することを特徴とする。
【発明の効果】
【００１３】
本発明のような方式の放射線画像撮影システムや放射線画像撮影装置によれば、放射線画像撮影装置を落下させて落下の衝撃で基板が割れたり、或いは、落下の衝撃や経年劣化等で信号線や走査線等の配線の基板への取り付け部分が剥がれる等して配線が断線した場合に、それを的確に判定することが可能となり、放射線画像撮影装置に断線が生じているか否かを的確に判定することが可能となる。
【図面の簡単な説明】
【００１４】
【図１】本実施形態に係る放射線画像撮影システムの構成等を表す図である。
【図２】本実施形態に係る放射線画像撮影装置の外観を示す斜視図である。
【図３】図２のＸ−Ｘ線に沿う断面図である。
【図４】放射線画像撮影装置の等価回路を表すブロック図である。
【図５】オフセットデータの読み出し処理を行う際に各走査線にオン電圧を印加するタイミング等を説明するタイミングチャートである。
【図６】放射線画像撮影装置のセンサー基板の構成およびセンサー基板に入ったひびを説明する図である。
【図７】フレキシブル回路基板が入出力端子に接続され、センサー基板の裏面側に引き回された状態を表す図である。
【図８】複数の信号線を意図的に断線させた場合に得られる放射線検出素子ごとのオフセットデータの例を表す図である。
【図９】（Ａ）、（Ｂ）下記（１）式の演算を行う際の、断線が生じている信号線の部分と断線が生じていない信号線の部分でのオフセットデータの標準偏差の例を表す図である。
【図１０】（Ａ）信号線に接続されている放射線検出素子ごとのオフセットデータをプロットしたグラフであり、（Ｂ）信号線を分ける複数の区分等を説明するグラフである。
【図１１】複数の走査線を意図的に断線させた場合に得られる放射線検出素子ごとのオフセットデータの例を表す図である。
【図１２】（Ａ）、（Ｂ）下記（１）式の演算を行う際の、断線が生じている信号線の部分と断線が生じていない信号線の部分でのオフセットデータや差分の例を表す図である。
【図１３】（Ａ）オフセットデータの平均値を走査線ごとにプロットしたグラフであり、（Ｂ）移動平均の取り方等を説明するグラフである。
【発明を実施するための形態】
【００１５】
以下、本発明に係る放射線画像撮影システムおよび放射線画像撮影装置の実施の形態について、図面を参照して説明する。
【００１６】
なお、以下では、放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することも可能である。
【００１７】
また、以下では、センサーパネルが筐体内に収納されて持ち運び可能とされた、いわゆる可搬型の放射線画像撮影装置の場合について説明するが、例えば前述した従来の専用機の放射線画像撮影装置に対しても、本発明を適用することが可能である。
【００１８】
さらに、以下では、図１に示す放射線画像撮影システム１００のように、放射線画像撮影装置１からコンソール５０にオフセットデータＯ等を送信し、コンソール５０で当該放射線画像撮影装置１の配線に断線が生じているか否かを判定する判定処理を行う場合について説明するが、放射線画像撮影装置１からコンソール５０にオフセットデータＯ等の送信を行わずに、放射線画像撮影装置１の制御手段２２が上記の判定処理を行うように構成することも可能である。
【００１９】
なお、図１では、放射線画像撮影装置１からコンソール５０に無線通信でデータ等を送信する場合が示されているが、例えば放射線画像撮影装置１とコンソール５０とを図示しないケーブル等で接続して有線方式でデータ等を送信するように構成することも可能である。
【００２０】
［放射線画像撮影装置］
本実施形態に係る放射線画像撮影装置の基本的な構成について簡単に説明する。図２は、放射線画像撮影装置の外観を示す斜視図であり、図３は、図２のＸ−Ｘ線に沿う断面図である。本実施形態では、放射線画像撮影装置１は、図２や図３に示すように、筐体状のハウジング２内にシンチレーター３やセンサー基板４等で構成されるセンサーパネルＳＰが収納されて構成されている。本実施形態では、筐体２は、放射線入射面Ｒを有する中空の角筒状のハウジング本体部２Ａの両側の開口部を蓋部材２Ｂ、２Ｃで閉塞することで形成されている。
【００２１】
そして、図２に示すように、筐体２の一方側の蓋部材２Ｂには、電源スイッチ３７や操作スイッチ３８、コネクター３９、インジケーター４０等が配置されている。また、本実施形態では、筐体２の例えば反対側の側面等に、外部装置と無線方式で通信を行うためのアンテナ４１（後述する図４参照）が設けられている。また、コネクター３９を介して外部から電力の供給を受けたり、或いは外部装置と有線方式で通信を行うこともできるようになっている。
【００２２】
また、図３に示すように、筐体２内には、基台３１が配置されており、基台３１の放射線入射面Ｒ側に、図示しない鉛の薄板等を介してセンサー基板４が設けられている。そして、センサー基板４の上面側には、照射された放射線を可視光等の光に変換するシンチレーター３がシンチレーター基板３４上に設けられ、シンチレーター３がセンサー基板４側に対向する状態で設けられている。また、基台３１の下面側には、電子部品３２等が配設されたＰＣＢ基板３３やバッテリー２４等が取り付けられている。本実施形態では、このようにしてセンサーパネルＳＰが形成されている。また、センサーパネルＳＰと筐体２の側面との間に緩衝材３５が設けられている。
【００２３】
図４は、放射線画像撮影装置の等価回路を表すブロック図である。図４に示すように、放射線画像撮影装置１には、図示しないセンサー基板上に複数の放射線検出素子７が二次元状（マトリクス状）に配列されており、複数の放射線検出素子７が二次元状に配列された領域全体、すなわち図４に破線で示される領域が検出部Ｐとされている。
【００２４】
そして、各放射線検出素子７は、照射された放射線の線量に応じた電荷（正確には照射された放射線がシンチレーター３で変換された電磁波が放射線検出素子７に照射された際の照射された電磁波の光量に応じた電荷）を発生させるようになっている。本実施形態では、放射線検出素子７はフォトダイオードが用いられているが、例えばフォトトランジスターやＣＣＤ（Charge Coupled Device）イメージセンサー等を用いることも可能である。
【００２５】
各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００２６】
また、各放射線検出素子７には、薄膜トランジスター（Thin Film Transistor。以下、ＴＦＴという。）８がスイッチ素子として接続されており、ＴＦＴ８は信号線６に接続されている。また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加されるようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００２７】
読み出しＩＣ１６内には複数の読み出し回路１７が設けられており、読み出し回路１７にはそれぞれ信号線６が接続されている。そして、画像データＤの読み出し処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図４では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００２８】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されている。
【００２９】
また、制御手段２２には、アンテナ４１やコネクター３９を介して外部と無線方式や有線方式で通信を行う通信部２５が接続されており、本実施形態では、通信部２５が外部と通信を行うための通信手段として機能するようになっている。
【００３０】
また、制御手段２２には、走査駆動手段１５や読み出し回路１７、記憶手段２３、バイアス電源１４等の各機能部に必要な電力を供給する電源２４等が接続されている。そして、制御手段２２は、画像データＤの読み出し処理の際には、上記のように走査駆動手段１５や読み出し回路１７等の動作を制御して、各放射線検出素子７から放出させた電荷を画像データＤとして読み出させるようになっている。
【００３１】
なお、本実施形態に係る放射線画像撮影装置１は、図示しない撮影台に装填して撮影に用いることも可能であるが、図示を省略するが、撮影台に装填せずに、いわば単独の状態で、例えば被写体である患者の身体にあてがったり、或いは例えば患者とベッドとの間に挿入する等して撮影に用いることもできるようになっている。
【００３２】
［コンソール］
コンソール５０（図１参照）は、図示を省略するが、本実施形態では、ＣＰＵやＲＯＭ、ＲＡＭ、入出力インターフェース等がバスで接続されたコンピューターで構成されているが、専用の装置であってもよい。そして、本実施形態では、コンソール５０では、ＲＯＭ等に記憶されているシステムプログラムや処理プログラム等の各種プログラムを読み出してＲＡＭに展開し、展開されたプログラムに従って各種処理が実行されるようになっている。
【００３３】
また、図１に示すように、コンソール５０は、ＣＲＴ（Cathode Ray Tube）やＬＣＤ（Liquid Crystal Display）等で構成された表示部５１を備えており、ＨＤＤ（Hard  Disk Drive）等で構成された記憶手段５２が接続され、或いは内蔵されている。また、図示を省略するが、その他、マウスやキーボード等の入力手段等を備えている。
【００３４】
［放射線画像撮影装置でのオフセットデータの読み出し処理について］
次に、放射線画像撮影装置１におけるオフセットデータＯの読み出し処理について説明する。
【００３５】
なお、放射線画像撮影装置１では、撮影時に行われる画像データＤの読み出し処理の直後や直前にオフセットデータＯの読み出し処理が行われる。しかし、以下で説明するオフセットデータＯの読み出し処理は、このように撮影時に行われる読み出し処理とは異なり、放射線画像撮影装置１に断線が生じているか否か、すなわちそもそも当該放射線画像撮影装置１を撮影に使用することができるか否かの判定処理のために行われる処理であるため、通常、撮影前に行われる。
【００３６】
断線の判定処理のためのオフセットデータＯの読み出し処理では、例えば図５に示すように、放射線画像撮影装置１の制御手段２２は、まず、走査駆動手段１５のゲートドライバー１５ｂ（図４参照）から走査線５の各ラインＬ１〜Ｌｘにオン電圧を順次印加して（図５の左側参照）、各ＴＦＴ８を順次オン状態にして、各放射線検出素子７内に残存する電荷を信号線６に放出させて各放射線検出素子７内から除去する放射線検出素子７のリセット処理を行う。
【００３７】
そして、制御手段２２は、所定の放射線検出素子７のリセット処理を終了すると、放射線画像撮影装置１に放射線が照射されない状態で、図５に示すように、ゲートドライバー１５ｂから走査線５の各ラインＬ１〜Ｌｘにオフ電圧を印加させて、各放射線検出素子７内で発生した電荷（この場合はいわゆる暗電荷）を各放射線検出素子７内に蓄積させる電荷蓄積状態に移行させる。
【００３８】
そして、制御手段２２は、電荷蓄積状態に移行してから所定時間τが経過した後で、ゲートドライバー１５ｂから走査線５の各ラインＬ１〜Ｌｘにオン電圧を順次印加させて、各放射線検出素子７からそれぞれオフセットデータＯを読み出すオフセットデータＯの読み出し処理を行うように構成される。
【００３９】
本実施形態では、読み出されたオフセットデータＯは、放射線画像撮影装置１の記憶手段２３に一旦保存された後、放射線画像撮影装置１からコンソール５０に無線方式或いは有線方式で送信される。なお、上記のように放射線画像撮影装置１の制御手段２２が当該放射線画像撮影装置１の配線に断線が生じているか否かを判定する判定処理を行う場合は、オフセットデータＯはコンソール５０には送信されずに、放射線画像撮影装置１内で処理が行われる。
【００４０】
［放射線画像撮影装置で断線が生じているか否かの判定処理について］
次に、本実施形態に係る放射線画像撮影システム１００における、放射線画像撮影装置１の配線に断線が生じているか否かを判定する判定処理について説明する。なお、前述したように、以下では、コンソール５０で判定処理を行う場合について説明するが、放射線画像撮影装置１からコンソール５０にオフセットデータＯ等の送信を行わずに、放射線画像撮影装置１の制御手段２２が判定処理を行うように構成することも可能であり、その場合も以下と同様に説明される。また、本実施形態に係る放射線画像撮影システム１００（放射線画像撮影装置１で判定処理を行う場合は放射線画像撮影装置１）の作用についてもあわせて説明する。
【００４１】
［オフセットデータの読み出し処理の開始のタイミングについて］
上記のように、放射線画像撮影装置１における断線の判定処理のためのオフセットデータＯの読み出し処理は、放射線画像撮影装置１で、通常、撮影前に行われるが、放射線画像撮影装置１の制御手段２２にオフセットデータＯの読み出し処理を開始させるトリガーは、種々の形態があり得る。
【００４２】
すなわち、例えば、放射線技師等の操作者が操作スイッチ３８を操作した場合等のように操作者による操作があった時点とすることも可能であり、また、任意の時間間隔で放射線画像撮影装置１が自動的に定期的に行うように構成することも可能である。また、コンソール５０から放射線画像撮影装置１に送信される信号に基づいて放射線画像撮影装置１で自動的に開始されるように構成することも可能であるが、その場合も、コンソール５０から、自動的に任意の時間間隔で信号を送信するように構成したり、或いは、放射線技師等の操作者がコンソール５０を操作した際に信号を送信するように構成することも可能である。
【００４３】
また、図示を省略するが、例えば放射線画像撮影装置１の筐体２内に、衝撃や振動当を検知する加速度センサーや振動センサー等の衝撃検知手段を設けておき、衝撃検知手段が衝撃を検知した時点で、放射線画像撮影装置１の制御手段２２が自動的にオフセットデータＯの読み出し処理を開始するように構成することも可能である。
【００４４】
このように構成すれば、撮影前や放射線画像撮影装置１に衝撃が加わった時点でオフセットデータＯを読み出してコンソール５０に送信し、コンソール５０で下記のようにして放射線画像撮影装置１に断線が生じたか否かを的確に判定することが可能となる。そのため、放射線画像撮影装置１に断線が生じている場合には、それを撮影前や放射線画像撮影装置１に衝撃が加わった時点で判定することが可能となり、そのような放射線画像撮影装置１が撮影に用いられることが的確に回避される。そのため、断線が生じている放射線画像撮影装置１を用いて撮影が行われてしまい放射線画像を適切に得られずに再撮影が必要になり、患者の被曝線量が増大してしまう等の問題が生じることを的確に防止することが可能となる。
【００４５】
そして、放射線画像撮影装置１の制御手段２２はこのようにしてオフセットデータＯの読み出し処理を行うと、読み出したオフセットデータＯをコンソール５０に送信する。そして、コンソール５０は、放射線画像撮影装置１からオフセットデータＯが送信されてくると、上記の判定処理を行うようになっている。
【００４６】
［放射線画像撮影装置での断線の仕方の例について］
ここで、本発明で想定されている放射線画像撮影装置１内での配線の断線の例について説明する。本実施形態では、図６に示すように、センサー基板４の表面４ａ（すなわちシンチレーター３（図３や後述する図７参照）に対向する側の面）上に、複数の走査線５と複数の信号線６とが互いに交差するように配設されており、走査線５と信号線６とで区画された各小領域ｒに、放射線検出素子７がそれぞれ配列されている。
【００４７】
本実施形態では、各走査線５や各信号線６等は、それぞれセンサー基板４の端縁部付近に設けられた入出力端子（パッドともいう。）１１に接続されている。そして、図７に示すように、各入出力端子１１には、前述したゲートドライバー１５ｂを構成するゲートＩＣ１５ｄや読み出しＩＣ１６等のチップがフィルム上に組み込まれたフレキシブル回路基板１２が異方性導電接着フィルム（Anisotropic Conductive Film）や異方性導電ペースト（Anisotropic Conductive Paste）等の異方性導電性接着材料１３を介して接続されている。
【００４８】
また、フレキシブル回路基板１２は、センサー基板４の裏面４ｂ（すなわち前述した表面４ａとは反対側の面）側に引き回され、裏面４ｂ側で前述したＰＣＢ基板３３等に接続されている。本実施形態では、このようにして、例えばセンサー基板４の表面４ａ側に設けられた各放射線検出素子７から放出された電荷が信号線６や入出力端子１１、フレキシブル回路基板１２を通って読み出しＩＣ１６で画像データＤとして読み出され、センサー基板４の裏面４ｂ側に設けられた図示しない記憶手段２３に保存される等するようになっている。
【００４９】
そして、前述したように放射線画像撮影装置１を落下させてしまったような場合、放射線画像撮影装置１の筐体２（図２等参照）の角部が床面と衝突する場合が多い。そして、その場合、例えば図６に示すように、センサー基板４の角部にひびＣｒが入ったり割れたりすると、走査線５や信号線６が断線してしまう場合がある。なお、図６では信号線６が断線した場合が示されているが、走査線５も同様に断線し得る。
【００５０】
また、放射線画像撮影装置１が図示しない支持台等と一体的に形成された専用機型の場合には、放射線画像撮影装置１が落下して信号線６等が断線することは考えづらいが、この場合も、例えば経年劣化等により入出力端子１１とフレキシブル回路基板１２との接続やフレキシブル回路基板１２とＰＣＢ基板３３との接続等が剥がれる等して、走査線５や信号線６等の配線が断線する場合があり得る。これは可搬型の放射線画像撮影装置１においても生じ得る。
【００５１】
本発明では、例えば上記のような仕方で走査線５や信号線６等の配線が断線する場合が想定されている。そして、このように配線が断線すると、それに接続されている放射線検出素子７やＴＦＴ８に故障等を生じていなくても、上記のように走査線５が断線していてＴＦＴ８にオン電圧やオフ電圧を適切に印加できなかったり、信号線６が断線していて放射線検出素子７から読み出し回路１７に電荷が流れなかったり、或いは、読み出し回路１７で読み出された画像データＤを制御手段２２や記憶手段２３側に送ることができなくなる。
【００５２】
すなわち、放射線画像撮影装置１の走査線５や信号線６等の配線に断線が生じていると、各放射線検出素子７に故障等が生じていなくても、結局、放射線画像を正常に読み出すことができなくなってしまう。そのため、本実施形態では、以下のようにして、放射線画像撮影装置１の配線に断線が生じているか否かを的確に判定するようになっている。以下、判定処理について具体的に説明する。
【００５３】
なお、上記のように、走査線５も信号線６も断線していない通常の場合には、放射線が照射されない状態で放射線検出素子７内に蓄積された電荷が放射線検出素子７から放出されてオフセットデータＯとして読み出されるが、上記のように走査線５や信号線６が断線している場合、放射線検出素子７から正常にオフセットデータＯは読み出されない。
【００５４】
しかし、オフセットデータＯの読み出し処理の際に、走査駆動手段１５のゲートドライバー１５ｂからある走査線５にオン電圧が印加されたタイミングで、当該走査線５に接続されている各放射線検出素子７について各読み出し回路１７から何らかのデータが読み出される。そのため、以下、オフセットデータＯの読み出し処理の際に、ある放射線検出素子７からオフセットデータＯが読み出されるタイミングで読み出されたデータを、放射線検出素子７ごとのオフセットデータＯという。
【００５５】
すなわち、放射線検出素子７ごとのオフセットデータＯには、走査線５にも信号線６にも断線が生じておらず放射線検出素子７から正常に読み出されたオフセットデータＯと、走査線５や信号線６に断線が生じており放射線検出素子７から正常には読み出されなかったデータのいずれの場合も含まれる。
【００５６】
［断線の判定処理の基本的な考え方について］
上記のように、本発明に係る断線の判定処理は、個々の放射線検出素子７の故障等を判定するものではなく、走査線５や信号線６が断線しているか否かを判定するものである。そのため、本発明では、コンソール５０は、ある走査線５やある信号線６に接続されている放射線検出素子７ごとのオフセットデータＯ自体を判定処理の対象とするのではなく、信号線６ごと、或いは走査線５ごとに、接続されている放射線検出素子７ごとのオフセットデータＯ等の平均値や中央値（メジアンや中間値等ともいう。）、標準偏差、分散等の統計値Ｏstを算出し、それらの信号線６や走査線５ごとの統計値Ｏstを対象として判定処理を行うようになっている。
【００５７】
すなわち、コンソール５０は、上記のようにして放射線画像撮影装置１からオフセットデータＯが送信されてくると、一旦、オフセットデータＯを記憶手段５２に保存する。そして、コンソール５０は、放射線画像撮影装置１の信号線６ごとに、接続されている放射線検出素子７ごとのオフセットデータＯの統計値Ｏst(m)を算出する。なお、ｍは信号線６のライン番号である。そして、算出したオフセットデータＯの統計値Ｏst(m)と他の信号線６について算出したオフセットデータＯの統計値Ｏst(m)との相違が許容範囲を越える信号線６が存在する場合に、当該放射線画像撮影装置１で断線が生じていると判定するようになっている。
【００５８】
また、コンソール５０は、走査線５についても同様に、放射線画像撮影装置１の走査線５ごとに、接続されている放射線検出素子７ごとのオフセットデータＯの統計値Ｏst(n)を算出する。なお、ｎは走査線５のライン番号である。そして、算出したオフセットデータＯの統計値Ｏst(n)と他の走査線５について算出したオフセットデータＯの統計値Ｏst(n)との相違が許容範囲を越える走査線５が存在する場合に、当該放射線画像撮影装置１で断線が生じていると判定するようになっている。
【００５９】
なお、以下では、放射線画像撮影装置１の１本の走査線５ごと、或いは１本の信号線６ごとに算出したオフセットデータＯの統計値Ｏstを対象として判定処理を行う場合について説明するが、その代わりに、例えば２本や３本等の複数本の走査線５や信号線６ごとに算出したオフセットデータＯの統計値Ｏst（すなわち複数本の走査線５等に接続されている全ての放射線検出素子７を対象として算出されるオフセットデータＯの統計値Ｏst）を対象として判定処理を行うように構成することも可能である。このように構成すれば、走査線５や信号線６の中に断線を生じている線があるか否かを的確に判定することができるとともに、走査線５や信号線６の１本ずつを対象として判定処理を行う場合に比べて判定処理をより速やかに行うことが可能となる。
【００６０】
［信号線に対する断線の判定処理について］
以下、まず、放射線画像撮影装置１の信号線６に対する断線の判定処理の具体例について説明する。
【００６１】
信号線６に断線が生じている場合について本発明者らが研究を行ったところ、前述した信号線６ごとのオフセットデータＯの統計値Ｏst(m)として、放射線画像撮影装置１の信号線６ごとに当該信号線６に接続されている放射線検出素子７ごとのオフセットデータＯの標準偏差σ(m)や分散σ２(m)を算出した場合、断線を生じている信号線６における標準偏差σ(m)や分散σ２(m)が、断線を生じていない正常な信号線６における標準偏差σ(m)や分散σ２(m)より小さくなる場合があることが分かっている。
【００６２】
図８は、検出部Ｐのうち図中左側の部分（図中のαの部分）の複数の信号線６（図の縦方向に延在するように配線されている。）を意図的に断線させた場合に得られる放射線検出素子７ごとのオフセットデータＯを画像状に表したものである。図８に示すように、断線している信号線６（αの部分参照）に接続されている放射線検出素子７ごとのオフセットデータＯは、断線を生じていない信号線６（βの部分参照）に接続されている放射線検出素子７ごとのオフセットデータＯよりもばらつき（すなわち標準偏差σ(m)や分散σ２(m)）が小さくなっている。なお、図８では、オフセットデータＯのばらつきの違いを見やすくするために信号線６を非常に多く断線させたが、実際に生じる断線は、通常、より少ない本数で発生する。また、これは後述する図９（Ａ）、（Ｂ）や図１１、図１２等においても同様である。
【００６３】
上記のように、信号線６が断線した場合に、断線を生じている信号線６におけるオフセットデータＯの標準偏差σ(m)や分散σ２(m)が、断線を生じていない正常な信号線６におけるオフセットデータＯの標準偏差σ(m)や分散σ２(m)より小さくなる場合には、例えば、コンソール５０は、放射線画像撮影装置１のある信号線６について算出したオフセットデータＯの標準偏差σ(m)や分散σ２(m)が、他の信号線６について算出したオフセットデータＯの標準偏差σ(m)や分散σ２(m)と比較した際に、許容範囲を越えて小さい信号線６が存在する場合に、当該放射線画像撮影装置１で断線が生じていると判定するように構成することが可能である。
【００６４】
標準偏差σ(m)を算出する場合を例に、より具体的に説明すれば、コンソール５０は、放射線画像撮影装置１の信号線６ごとにオフセットデータＯの標準偏差σ(m)を算出し、算出したオフセットデータＯの標準偏差σ(m)の中から最小値Min(σ(m))を抽出し、また、信号線６ごとのオフセットデータＯの標準偏差σ(m)の平均値Ave(σ(m))を算出したり中央値Median(σ(m))を抽出したりする。なお、以下では中央値Median(σ(m))を抽出する場合について説明する。
【００６５】
そして、コンソール５０は、オフセットデータＯの標準偏差σ(m)の最小値Min(σ(m))の中央値Median(σ(m))に対する比Min(σ(m))／Median(σ(m))を判定指標として算出する。算出した比Min(σ(m))／Median(σ(m))が、設定された閾値σth未満であり小さい場合は、オフセットデータＯの標準偏差σ(m)が他の信号線６より小さい信号線６があり、当該信号線６で断線を生じていると考えられる。そのため、コンソール５０は、算出した比Min(σ(m))／Median(σ(m))が設定された閾値σth未満である場合に、当該放射線画像撮影装置１で断線が生じていると判定するように構成することが可能である。
【００６６】
このように構成すれば、放射線画像撮影装置１が、断線を生じている信号線６におけるオフセットデータＯの標準偏差σ(m)や分散σ２(m)が、断線を生じていない正常な信号線６におけるオフセットデータＯの標準偏差σ(m)や分散σ２(m)より小さくなる特性を有している場合には、上記のように、オフセットデータＯの統計値Ｏst(m)として算出した信号線６ごとのオフセットデータＯの標準偏差σ(m)や分散σ２(m)を他の信号線６におけるオフセットデータＯの標準偏差σ(m)や分散σ２(m)と比較することで、当該放射線画像撮影装置１の信号線６に破断が生じているか否かを的確に判定することが可能となる。
【００６７】
［変形例１］
なお、放射線画像撮影装置１において、走査線５が断線した場合に、断線を生じている走査線５におけるオフセットデータＯの標準偏差σ(n)や分散σ２(n)が、断線を生じていない正常な走査線５におけるオフセットデータＯの標準偏差σ(n)や分散σ２(n)より小さくなるような特性を有している場合にも、上記の判定手法を適用することが可能である。
【００６８】
また、放射線画像撮影装置１によっては、信号線６や走査線５が断線した場合に、断線を生じている信号線６や走査線５におけるオフセットデータＯの標準偏差σや分散σ２が、断線を生じていない正常な信号線６や走査線５におけるオフセットデータＯの標準偏差σや分散σ２より大きくなる場合もあり得る。
【００６９】
そのような場合には、例えば、上記のように信号線６ごとのオフセットデータＯの標準偏差σ(m)（或いは分散σ２(m)。以下同じ。）の中から最小値Min(σ(m))を抽出する代わりに最大値Max(σ(m))を抽出し、最大値Max(σ(m))の中央値Median(σ(m))（或いは平均値Ave(σ(m))）に対する比Max(σ(m))／Median(σ(m))が、設定された閾値σthを越えて大きい場合に、当該放射線画像撮影装置１で断線が生じていると判定するように構成することが可能である。走査線５ごとのオフセットデータＯの標準偏差σ(n)や分散σ２(n)の場合も同様である。
【００７０】
このように、放射線画像撮影装置１によって、信号線６や走査線５が断線した場合に、断線を生じている信号線６や走査線５におけるオフセットデータＯの標準偏差σや分散σ２が、断線を生じていない正常な信号線６や走査線５におけるオフセットデータＯの標準偏差σや分散σ２より大きくなったり小さくなったりして特性が異なる可能性がある。そのため、事前に放射線画像撮影装置１の特性を把握しておき、コンソール５０では、その特性に応じた仕方の判定処理を適用することが望ましい。
【００７１】
また、コンソール５０での判定処理の仕方（すなわち信号線６や走査線５ごとのオフセットデータＯの標準偏差σの中から最小値Min(σ(m))、Min(σ(n))を抽出するか最大値Max(σ(m))、Max(σ(n))を抽出するか等）を、放射線画像撮影装置１ごとにその特性にあわせて切り替えるように構成することも可能である。
【００７２】
［変形例２］
ところで、放射線画像撮影装置１の読み出し回路１７（図４参照）は、通常、読み出し特性が必ずしも均一ではなく、読み出されるオフセットデータＯに重畳される回路特有のオフセット分が読み出し回路１７ごとに異なる。後述する図１１では、検出部Ｐ上で信号線６（図１１では図示省略。図の縦方向に延在するように配線されている。）が中央部分で上下に分割されており、図中の上下方向にそれぞれ設けられた各読み出し回路１７（図示省略）でオフセットデータＯが読み出されるが、図１１に示されているように、読み出されるオフセットデータＯに重畳される特有のオフセット分が読み出し回路１７ごとすなわち信号線６ごとに異なっている。なお、図１１のγの部分については後で説明する。
【００７３】
そして、このように信号線６ごとにオフセットデータＯに重畳される特有のオフセット分が異なっていても、それがオフセットデータＯのばらつき、すなわちオフセットデータＯの標準偏差σ(m)や分散σ２(m)に影響しないのであれば、例えば図１１に示すような放射線検出素子７ごとのオフセットデータＯ（すなわちその標準偏差σ(m)や分散σ２(m)）に基づいて上記の判定処理を行うように構成することが可能である。
【００７４】
また、オフセットデータＯの標準偏差σ(m)や分散σ２(m)に、上記のように信号線６ごとに異なる、オフセットデータＯに重畳される特有のオフセット分の影響がある場合には（或いは影響があるか否かが不明である場合には）、この影響を排除するために、例えば、上記のオフセットデータＯとは別に第２のオフセットデータＯ＊を取得し、放射線検出素子７ごとに下記（１）式に従ってオフセットデータＯと第２のオフセットデータＯ＊との差分ΔＯを算出し、上記の判定処理を、オフセットデータＯの代わりに差分ΔＯを対象として用い、算出した放射線検出素子７ごとの差分ΔＯに基づいて算出した信号線６の差分ΔＯの統計値ΔＯst(m)に基づいて判定処理を行うように構成することも可能である。前述した図８は、正確にはオフセットデータＯではなく、このようにして算出された差分ΔＯが示されている。
ΔＯ＝Ｏ−Ｏ＊    …（１）
【００７５】
上記のオフセットデータＯを、第２のオフセットデータＯ＊と区別するために第１のオフセットデータＯとして説明すると、上記のように構成する場合、第２のオフセットデータＯ＊は、第１のオフセットデータＯとは別の読み出し処理で読み出されることが必要である。第２のオフセットデータＯ＊として第１のオフセットデータＯを流用してしまうと、当然のことながら、上記（１）式により算出される各放射線検出素子７で差分ΔＯが０になってしまうためである。
【００７６】
そして、上記のように信号線６ごとのオフセットデータＯの統計値Ｏst(m)としてオフセットデータＯの標準偏差σ(m)等を用いる場合には、第２のオフセットデータＯ＊として、放射線画像撮影装置１の工場出荷時等に読み出されたオフセットデータのように、放射線画像撮影装置１の信号線６に断線が生じる前に読み出されたオフセットデータを用いることが可能である。
【００７７】
また、第２のオフセットデータＯ＊として、放射線画像撮影装置１の信号線６に断線が生じた後に読み出されたオフセットデータを用いることも可能であり、下記のように、寧ろ後者のように構成することが好ましい。以下、その理由について説明する。
【００７８】
例えば、信号線６に断線が生じる前のオフセットデータＯの標準偏差σ(m)（或いは分散σ２(m)。以下同じ。）すなわち信号線６に断線が生じていない状態で読み出されたオフセットデータＯの標準偏差σ(m)の値が３であり、信号線６に断線が生じた後のオフセットデータＯの標準偏差σ(m)すなわち信号線６に断線が生じた状態で読み出されたオフセットデータＯの標準偏差σ(m)の値が２であったとする。
【００７９】
すると、図８に示したように、図中のαの部分で断線が生じた状態で読み出された第１のオフセットデータＯでは、図９（Ａ）に示すように、αの部分の信号線６ごとの第１のオフセットデータＯの標準偏差σ(m)は２であり、他の部分（図中のβの部分）の信号線６ごとの第１のオフセットデータＯの標準偏差σ(m)は３である。
【００８０】
そして、第２のオフセットデータＯ＊として放射線画像撮影装置１の工場出荷時等のように信号線６に断線が生じる前に読み出されたオフセットデータを用いる場合、図９（Ａ）に示すように、第２のオフセットデータＯ＊では、全ての信号線６において信号線６ごとの第２のオフセットデータＯ＊の標準偏差σ(m)は３である。
【００８１】
そのため、図９（Ａ）に示すように、上記（１）式に従って算出された差分ΔＯに基づいて算出される信号線６ごとの差分ΔＯの標準偏差σ(m)は、信号線６に断線が生じている部分（αの部分）では（２２＋３２）１／２=√１３になるのに対し、信号線６に断線が生じていない部分（βの部分）では３√２（＝√１８）になる。
【００８２】
一方、第２のオフセットデータＯ＊として、放射線画像撮影装置１の信号線６に断線が生じた後に読み出されたオフセットデータを用いる場合には、図９（Ｂ）に示すように、第１のオフセットデータＯも第２のオフセットデータＯ＊も、αの部分（すなわち断線が生じている部分）の信号線６では標準偏差σ(m)は２であり、他の部分（βの部分）の信号線６では標準偏差σ(m)は３である。
【００８３】
そのため、この場合は、図９（Ｂ）に示すように、上記（１）式に従って算出された差分ΔＯに基づいて算出される信号線６ごとの差分ΔＯの標準偏差σ(m)は、信号線６に断線が生じている部分（αの部分）では２√２（＝√８）になり、信号線６に断線が生じていない部分（βの部分）では３√２（＝√１８）になる。
【００８４】
このように、図９（Ｂ）に示したように、第２のオフセットデータＯ＊として信号線６に断線が生じた状態で読み出された状態で読み出されたオフセットデータを用いる方が、信号線６に断線が生じている部分（αの部分）と断線が生じていない部分（βの部分）との信号線６ごとの差分ΔＯの標準偏差σ(m)の違い（√８と√１８）が、図９（Ａ）に示したように第２のオフセットデータＯ＊として放射線画像撮影装置１の工場出荷時等のように信号線６に断線が生じていない状態で読み出されたオフセットデータを用いる場合に比べて（信号線６ごとの差分ΔＯの標準偏差σ(m)の違いは√１３と√１８）、大きく現れるようになる。
【００８５】
そのため、上記のように信号線６ごとのオフセットデータＯの統計値Ｏst(m)としてオフセットデータＯの標準偏差σ(m)や分散σ２(m)を用い、上記の判定処理を、オフセットデータＯの代わりに、上記（１）式に従って算出した差分ΔＯを対象として行うように構成する場合には、第２のオフセットデータＯ＊として、上記のように、放射線画像撮影装置１の工場出荷時等のように放射線画像撮影装置１の信号線６に断線が生じる前に読み出されたオフセットデータを用いることが可能であるが、放射線画像撮影装置１の信号線６に断線が生じた後に読み出されたオフセットデータを用いるように構成することが好ましい。
【００８６】
なお、このように構成する場合には、例えば、放射線画像撮影装置１で上記のように第１のオフセットデータＯを読み出すタイミングで、第１のオフセットデータＯを読み出した後に続けて第２のオフセットデータＯ＊を読み出し（すなわちオフセットデータを２フレーム分読み出し）、放射線画像撮影装置１からコンソール５０に第１のオフセットデータＯと第２のオフセットデータＯ＊とを送信するように構成することが可能である。
【００８７】
放射線画像撮影装置１で上記のように第１のオフセットデータＯを読み出すタイミングで信号線６に断線が生じていれば、それに続いて行われる読み出し処理で読み出される第２のオフセットデータＯ＊は、放射線画像撮影装置１で断線が生じた後に読み出されたことになり、上記のように信号線６ごとの差分ΔＯの標準偏差σ(m)の違いが大きく現れるようになる。
【００８８】
また、第１のオフセットデータＯと第２のオフセットデータＯ＊とを読み出した後、放射線画像撮影装置１で上記（１）式に従って放射線検出素子７ごとに差分ΔＯを算出し、算出した差分ΔＯをコンソール５０に送信するように構成することも可能である。このように構成すれば、第１のオフセットデータＯと第２のオフセットデータＯ＊とをコンソール５０に送信する場合に比べて、コンソール５０に送信するデータ量を少なくすることが可能となる。
【００８９】
［変形例３］
また、ある信号線６に接続されている放射線検出素子７ごとのオフセットデータＯを放射線検出素子７の番号順に（すなわち放射線検出素子７が接続している走査線５のライン番号ｎの順に）プロットすると、例えば図１０（Ａ）に示すように、放射線検出素子７ごとのオフセットデータＯが各放射線検出素子７で同じような値にならずに、全体的に緩やかに変化するトレンドを有している場合がある。そして、オフセットデータＯが有するトレンドが、オフセットデータＯに基づいて算出される信号線６ごとの標準偏差σ(m)や分散σ２(m)に影響を与える可能性がある。
【００９０】
そこで、このような場合には、放射線画像撮影装置１の信号線６ごとにオフセットデータＯの標準偏差σ(m)や分散σ２(m)を算出する際に、例えば図１０（Ｂ）に示すように、当該信号線６を複数の区分ｄｋに分け（すなわち当該信号線６に接続されている各放射線検出素子７を区分ｄ１、ｄ２、…ごとに分け）、区分ｄｋごとにオフセットデータＯの標準偏差σや分散σ２を算出する。そして、算出した区分ｄｋごとのオフセットデータＯの標準偏差σや分散σ２の平均値や中央値を算出し、それを当該信号線６のオフセットデータＯの標準偏差σ(m)や分散σ２(m)として算出するように構成することが可能である。
【００９１】
このようにして信号線６ごとのオフセットデータＯの標準偏差σ(m)や分散σ２(m)を算出するように構成すれば、例えば図１０（Ａ）に示したように放射線検出素子７ごとのオフセットデータＯが何らかのトレンドを有している場合であっても、そのトレンドに影響を受けることなく、信号線６ごとのオフセットデータＯの標準偏差σ(m)や分散σ２(m)を的確に算出することが可能となる。
【００９２】
［走査線に対する断線の判定処理について］
次に、放射線画像撮影装置１の走査線５に対する断線の判定処理の具体例について説明する。
【００９３】
走査線５に断線が生じている場合について本発明者らが研究を行ったところ、上記の信号線６に断線が生じている場合とは異なり、走査線５に断線が生じている場合の走査線５ごとのオフセットデータＯの標準偏差σ(n)や分散σ２(n)（すなわち当該走査線５に接続されている放射線検出素子７ごとのオフセットデータＯの標準偏差σ(n)や分散σ２(n)）と、走査線５に断線が生じていない場合の走査線５ごとのオフセットデータＯの標準偏差σ(n)や分散σ２(n)とを比較してもあまり差がなく、寧ろ走査線５に断線が生じている場合の放射線検出素子７ごとのオフセットデータＯ自体の値が、走査線５に断線が生じていない場合に比べて大きくなる場合があることが分かっている。なお、このような現象が生じる理由もよく分かっていない。
【００９４】
図１１は、検出部Ｐのうち図中下側の部分（図中のγの部分）の複数の走査線５（図の横方向に延在するように配線されている。）を意図的に断線させた場合に得られる放射線検出素子７ごとのオフセットデータＯを画像状に表したものである。なお、図１１では、図８とは異なり、差分ΔＯではなくオフセットデータＯが表されている。
【００９５】
そして、この場合は、図１１に示すように、断線している走査線５（γの部分参照）に接続されている放射線検出素子７ごとのオフセットデータＯは、断線を生じていない走査線５（γ以外の部分参照）に接続されている放射線検出素子７ごとのオフセットデータＯよりも大きな値になっている。
【００９６】
このように、走査線５が断線した場合に、断線を生じている走査線５におけるオフセットデータＯが、断線を生じていない正常な走査線５におけるオフセットデータＯより大きくなる場合には、例えば、コンソール５０は、オフセットデータＯの統計値Ｏstとして、走査線５ごとにオフセットデータＯの平均値Ｏave(n)や中央値Ｏmed(n)を算出する（すなわち当該走査線５に接続されている放射線検出素子７ごとのオフセットデータＯの平均値Ｏave(n)等を算出する。そして、算出したオフセットデータＯの平均値Ｏave(n)や中央値Ｏmed(n)が、他の走査線５について算出したオフセットデータＯの平均値Ｏave(n)や中央値Ｏmed(n)と比較した際に、許容範囲を越える走査線５が存在する場合に、当該放射線画像撮影装置１で断線が生じていると判定するように構成することが可能である。
【００９７】
オフセットデータＯの平均値Ｏave(n)を算出する場合を例に、より具体的に説明すれば、コンソール５０は、放射線画像撮影装置１の走査線５ごとにオフセットデータＯの平均値Ｏave(n)を算出し、算出したオフセットデータＯの平均値Ｏave(n)の中から最大値Max(Ｏave(n))を抽出する。そして、走査線５ごとのオフセットデータＯの平均値Ｏave(n)の平均値Ave(Ｏave(n))を算出する。或いは、走査線５ごとのオフセットデータＯの平均値Ｏaveの中央値Median(Ｏave(n))を抽出する。なお、以下ではオフセットデータＯの平均値Ｏaveの中央値Median(Ｏave(n))を抽出する場合について説明する。
【００９８】
そして、コンソール５０は、上記の最大値Max(Ｏave(n))の、オフセットデータＯの平均値Ｏaveの中央値Median(Ｏave(n))に対する差Max(Ｏave(n))−Median(Ｏave(n))を判定指標として算出する。算出した差Max(Ｏave(n))−Median(Ｏave(n))が、設定された閾値Ｏthを越えて大きい場合は、オフセットデータＯが他の走査線５より大きい走査線５があり、当該走査線５で断線を生じていると考えられる。そのため、コンソール５０は、算出した差Max(Ｏave(n))−Median(Ｏave(n))が設定された閾値Ｏthを越える走査線５が存在する場合に、当該放射線画像撮影装置１で断線が生じていると判定するように構成することが可能である。
【００９９】
このように構成すれば、放射線画像撮影装置１が、断線を生じている走査線５におけるオフセットデータＯが、断線を生じていない正常な走査線５におけるオフセットデータＯより大きくなる特性を有している場合には、上記のように、オフセットデータＯの統計値Ｏst(n)として算出した走査線５ごとのオフセットデータＯの平均値Ｏave(n)や中央値Ｏmed(n)を他の走査線５におけるオフセットデータＯの平均値Ｏave(n)や中央値Ｏmed(n)と比較することで、当該放射線画像撮影装置１の走査線５に破断が生じているか否かを的確に判定することが可能となる。
【０１００】
［変形例４］
なお、放射線画像撮影装置１によっては、走査線５が断線した場合に、断線を生じている走査線５におけるオフセットデータＯの平均値Ｏave(n)や中央値Ｏmed(n)が、断線を生じていない正常な走査線５におけるオフセットデータＯの平均値Ｏave(n)や中央値Ｏmed(n)よりも小さくなる場合もあり得る。
【０１０１】
そのような場合には、例えば、上記のように走査線５ごとのオフセットデータＯの平均値Ｏave(n)（或いは中央値Ｏmed(n)。以下同じ。）の中から最大値Max(Ｏave(n))を抽出する代わりに最小値Min(Ｏave(n))を抽出し、最小値Min(Ｏave(n))の、オフセットデータＯの平均値Ｏaveの中央値Median(Ｏave(n))に対する差Min(Ｏave(n))−Median(Ｏave(n))が、設定された閾値Ｏth未満である場合に、当該放射線画像撮影装置１で断線が生じていると判定するように構成することが可能である。
【０１０２】
また、放射線画像撮影装置１において、走査線５ではなく、信号線６が断線した場合に、断線を生じている信号線６におけるオフセットデータＯの平均値Ｏave(m)や中央値Ｏmed(m)が、断線を生じていない正常な信号線６におけるオフセットデータＯの平均値Ｏave(m)や中央値Ｏmed(m)より大きくなったり小さくなったりするような場合にも、上記の判定手法を適用することが可能である。
【０１０３】
このように、放射線画像撮影装置１によって、走査線５や信号線６が断線した場合に、断線を生じている走査線５や信号線６におけるオフセットデータＯの平均値Ｏaveや中央値Ｏmedが、断線を生じていない正常な走査線５や信号線６におけるオフセットデータＯの平均値Ｏaveや中央値Ｏmedより大きくなったり小さくなったりして特性が異なる可能性がある。そのため、事前に放射線画像撮影装置１の特性を把握しておき、コンソール５０では、その特性に応じた仕方の判定処理を適用することが望ましい。
【０１０４】
また、コンソール５０での判定処理の仕方（すなわち走査線５や信号線６ごとのオフセットデータＯの平均値Ｏave(m)、Ｏave(n)等の中から最大値Max(Ｏave(m))、Max(Ｏave(n))を抽出するか最小値ＯMin(Ｏave(m))、Min(Ｏave(n))を抽出するか等）を、放射線画像撮影装置１ごとにその特性にあわせて切り替えるように構成することも可能である。
【０１０５】
［変形例５］
また、この場合も、オフセットデータＯそのものを用いる代わりに、上記（１）式に従って第１のオフセットデータＯと第２のオフセットデータとの差分ΔＯを放射線検出素子７ごとに算出し、算出した差分ΔＯを対象として、例えば算出した放射線検出素子７ごとの差分ΔＯに基づいて走査線５ごとの差分ΔＯの統計値を算出して、放射線画像撮影装置１で断線が生じているか否かを判定するように構成することも可能である。しかし、この場合は、上記の変形例２の場合とは異なる点があるため注意が必要である。
【０１０６】
すなわち、上記の変形例２では、第１のオフセットデータＯと、放射線画像撮影装置１に断線が生じる前に読み出された第２のオフセットデータＯ＊との差分ΔＯ（図９（Ａ）参照）を用いることも可能であるが、第１のオフセットデータＯと、放射線画像撮影装置１に断線が生じた後に読み出された第２のオフセットデータＯ＊との差分ΔＯ（図９（Ｂ）参照）を用いる方が、断線が生じている部分（αの部分）と断線が生じていない部分（βの部分）との信号線６ごとの差分ΔＯの標準偏差σ(m)の違いが大きく現れるため好ましいことを説明した。
【０１０７】
しかし、上記のように、オフセットデータＯや差分ΔＯの標準偏差σ等ではなく、オフセットデータＯの平均値Ｏaveや中央値Ｏmedに基づいて断線を判定するように構成する場合に、第１のオフセットデータＯと、放射線画像撮影装置１に断線が生じた後に読み出された第２のオフセットデータＯ＊との差分ΔＯを算出するように構成すると、第１のオフセットデータＯが放射線画像撮影装置１に断線が生じた後に読み出されたオフセットデータＯであれば、第２のオフセットデータＯ＊との差分ΔＯが全ての走査線５や信号線６でほぼ０になってしまう。
【０１０８】
すなわち、例えば、上記のように、走査線５に断線が生じている場合の放射線検出素子７ごとのオフセットデータＯが、走査線５に断線が生じていない場合に比べて大きくなる場合、例えば図１２（Ａ）に示すように、走査線５に断線が生じているγの部分の第１のオフセットデータＯが２００であり、走査線５に断線が生じていない他の部分（図中のγ以外の部分）の第１のオフセットデータＯが１００であるとする。
【０１０９】
そして、この場合、放射線画像撮影装置１に断線が生じた後に読み出された第２のオフセットデータＯ＊も、図１２（Ａ）に示すように、走査線５に断線が生じているγの部分では２００であり、走査線５に断線が生じていない他の部分（図中のγ以外の部分）では１００である。そのため、上記（１）式に従って放射線検出素子７ごとに差分ΔＯを算出すると、差分ΔＯは全ての放射線検出素子７でほぼ０になる。
【０１１０】
それに対し、上記の例で、第２のオフセットデータＯ＊として、放射線画像撮影装置１の工場出荷時等のように放射線画像撮影装置１に断線が生じる前に読み出されたオフセットデータを用いれば、図１２（Ｂ）に示すように、第２のオフセットデータＯ＊は走査線５に断線が生じる前に読み出されたオフセットデータであるから全ての放射線検出素子７で１００になる。そのため、図１２（Ｂ）に示すように、第１のオフセットデータＯと第２のオフセットデータＯ＊との差分ΔＯを算出すると、走査線５に断線が生じているγの部分では差分ΔＯは１００になり、走査線５に断線が生じていない他の部分（図中のγ以外の部分）ではほぼ０になる。
【０１１１】
このように、第２のオフセットデータＯ＊として、放射線画像撮影装置１に断線が生じる前に読み出されたオフセットデータを用いれば、走査線５に断線が生じている部分（γの部分）と断線が生じていない他の部分（図中のγ以外の部分）とで、差分ΔＯを明確に区別することが可能となる。そのため、閾値を適切に設定すれば、差分ΔＯが閾値を越えるか否かを判断することで、放射線画像撮影装置１に断線が生じているか否かを的確に判定することが可能となる。
【０１１２】
そのため、上記のように走査線５や信号線６ごとのオフセットデータＯの平均値Ｏaveや中央値Ｏmedに基づいて断線を判定する場合には、放射線画像撮影装置１に断線が生じた後に読み出された第２のオフセットデータＯ＊ではなく、第１のオフセットデータＯと、放射線画像撮影装置１の工場出荷時等のように放射線画像撮影装置１に断線が生じる前に読み出された第２のオフセットデータＯ＊との差分ΔＯを算出するように構成することが好ましい。
【０１１３】
そして、このように構成すれば、例えば図１１に示したように、信号線６ごとにオフセットデータＯに重畳される特有のオフセット分が異なる場合であっても、上記（１）式に従って第１のオフセットデータＯから第２のオフセットデータＯ＊を減算して放射線検出素子７ごとの差分ΔＯを算出する際に、信号線６ごとにオフセットデータＯに重畳される特有のオフセット分が相殺される。そのため、差分ΔＯには、信号線６ごとにオフセットデータＯに重畳される特有のオフセット分の影響が含まれなくなる。
【０１１４】
そのため、信号線６ごとにオフセットデータＯに重畳される特有のオフセット分の影響を受けずに、断線を生じているか否かを的確に判定することが可能となるといった効果もある。
【０１１５】
なお、このように構成する場合、第２のオフセットデータＯ＊として、上記のように放射線画像撮影装置１の工場出荷時等に読み出されたオフセットデータを用いるように構成することも可能であり、また、例えば、以前の判定処理で、放射線画像撮影装置１に断線が生じていないと判定した際の第１のオフセットデータＯを保存しておき、それを第２のオフセットデータＯ＊として用いるように構成することも可能である。
【０１１６】
また、変形例２の場合と同様に、放射線画像撮影装置１で上記（１）式に従って放射線検出素子７ごとに差分ΔＯを算出し、算出した差分ΔＯをコンソール５０に送信するように構成することも可能である。
【０１１７】
［変形例６］
ところで、上記の構成例では、放射線画像撮影装置１の走査線５（或いは信号線６。以下同じ。）ごとにオフセットデータＯの平均値Ｏave(n)（或いは中央値Ｏmed(n)。以下同じ。）を算出し、算出したオフセットデータＯの平均値Ｏave(n)の中から最大値Max(Ｏave(n))と、オフセットデータＯの平均値Ｏave(n)の中央値Median(Ｏave(n))を抽出し、最大値Max(Ｏave(n))の、オフセットデータＯの平均値Ｏave(n)の中央値Median(Ｏave(n))に対する差Max(Ｏave(n))−Median(Ｏave(n))を判定指標として算出し、算出した差Max(Ｏave(n))−Median(Ｏave(n))が、設定された閾値Ｏthを越える走査線５が存在する場合等に、当該放射線画像撮影装置１で断線が生じていると判定するように構成する場合について説明した。
【０１１８】
しかし、オフセットデータの統計値Ｏst(n)として、放射線画像撮影装置１の走査線５ごとにオフセットデータＯの平均値Ｏave(n)や中央値Ｏmed(n)を算出し、算出した走査線５ごとのオフセットデータＯの平均値Ｏave(n) や中央値Ｏmed(n)と、他の走査線５について算出したオフセットデータＯの平均値Ｏave(n) や中央値Ｏmed(n)と比較した際に、許容範囲を越える走査線５が存在する場合に、当該放射線画像撮影装置１で断線が生じていると判定する方法としては、例えば以下のように構成することも可能である。
【０１１９】
なお、この場合、オフセットデータＯの統計値Ｏstとして、上記のように放射線画像撮影装置１の走査線５ごとにオフセットデータＯの平均値Ｏave(n)や中央値Ｏmed(n)を算出するように構成することも可能であり、また、上記のように、第１のオフセットデータＯと、放射線画像撮影装置１に断線が生じる前に読み出された第２のオフセットデータＯ＊との差分ΔＯを算出し、算出した差分ΔＯの走査線５ごとの平均値ΔＯave(n)や中央値ΔＯmed(n)を算出するように構成することも可能である。以下では、走査線５ごとのオフセットデータＯの平均値Ｏave(n)を算出する場合について説明するが、それ以外の場合も同様に説明される。
【０１２０】
この場合、走査線５ごとのオフセットデータＯの平均値Ｏave(n)を、走査線５のライン番号ｎの順にプロットすると、例えば図１３（Ａ）に示すように、断線が生じている部分（γの部分）で走査線５ごとのオフセットデータＯの平均値Ｏave(n)が、他の部分（すなわち断線が生じていない部分）での走査線５ごとのオフセットデータＯの平均値Ｏave(n)よりも大きくなる。
【０１２１】
なお、断線が生じている部分（γの部分）で走査線５ごとのオフセットデータＯの平均値Ｏave(n)が、他の部分（すなわち断線が生じていない部分）での走査線５ごとのオフセットデータＯの平均値Ｏave(n)よりも小さくなる場合もあり得ることは前述した通りである。また、なお、図１３（Ａ）、（Ｂ）では、走査線５に断線が生じている部分およびその近傍の走査線５ごとのオフセットデータＯの平均値Ｏave(n)のみが記載されており、１本の走査線５にのみ断線が生じている場合が示されている。
【０１２２】
図１３（Ａ）に示すように、走査線５ごとのオフセットデータＯの平均値Ｏave(n)に緩やかなトレンドがあるとしても、走査線５に断線が生じている場合には、その走査線５の部分で走査線５ごとのオフセットデータＯの平均値Ｏave(n)が、トレンドとは明らかに異なり、他の走査線５における平均値Ｏave(n)とは大きく異なる値になる。
【０１２３】
そのため、例えば、ある走査線５について算出したオフセットデータの平均値Ｏave(n)と、当該走査線５から所定範囲内にある走査線５（すなわち当該走査線５に隣接する走査線５を含む所定本数の走査線５）について算出したオフセットデータＯの平均値Ｏave(n)の移動平均MA(Ｏave(n))との差δＯaveを算出し、算出した差δＯaveの絶対値｜δＯave｜が、設定された閾値を越える走査線５が存在する場合に、当該放射線画像撮影装置１で断線が生じていると判定するように構成することも可能である。
【０１２４】
このように構成し、移動平均MA(Ｏave(n))を算出する走査線５の本数を例えば４本とすると、例えば図１３（Ｂ）に示すように、断線を生じていない走査線５（ライン番号ｎａ）では当該走査線５について算出したオフセットデータの平均値Ｏave(n)と、移動平均MA(Ｏave(n))との差δＯaveの絶対値｜δＯave｜は非常に小さい。それに対して、断線を生じている走査線５（ライン番号ｎγ）では、当該走査線５について算出したオフセットデータの平均値Ｏave(n)と、移動平均MA(Ｏave(n))との差δＯaveの絶対値｜δＯave｜が大きくなる。
【０１２５】
そのため、走査線５について算出したオフセットデータの平均値Ｏave(n)と移動平均MA(Ｏave(n))との差δＯaveの絶対値｜δＯave｜について設定する閾値を適切に設定すれば、算出した絶対値｜δＯave｜が閾値を越えるか否かを判断することで、放射線画像撮影装置１に断線が生じているか否かを的確に判定することが可能となる。また、上記のように、走査線５ごとのオフセットデータＯの平均値Ｏave(n)等に緩やかなトレンドがある場合であっても、それに関わりなく、放射線画像撮影装置１に断線が生じているか否かを的確に判定することが可能となる。
【０１２６】
なお、上記の場合、ある走査線５について算出したオフセットデータの平均値Ｏave(n)と、それに隣接する走査線５について算出したオフセットデータの平均値Ｏave(n)との差を算出するように構成することも可能であるが、それは、結局、上記の移動平均MA(Ｏave(n))を算出する際に、移動平均を算出する走査線５の本数を１本とした場合に相当する。そのため、ある走査線５について算出したオフセットデータの平均値Ｏave(n)と、それに隣接する走査線５について算出したオフセットデータの平均値Ｏave(n)との差を算出することは、結局、上記のように、ある走査線５について算出したオフセットデータの平均値Ｏave(n)と、移動平均MA(Ｏave(n))との差δＯaveを算出することに含まれる。
【０１２７】
［放射線画像撮影装置で断線が生じている可能性があることを報知することについて］
なお、コンソール５０（或いは放射線画像撮影装置１の制御手段２２）が、上記のようにして断線の判定処理を行い、その結果、放射線画像撮影装置１で断線が生じていると判定した場合に、表示部５１（図１参照）上に表示したり音声を発生させたり、或いは、放射線画像撮影装置１のインジケーター４０（図２参照）を所定の色で点灯、点滅させたり放射線画像撮影装置１から音声を発生させる等して、当該放射線画像撮影装置１で断線が生じている可能性があることを報知したり報知させたりするように構成することが可能である。
【０１２８】
また、撮影室内等に設置された表示装置やスピーカー等の図示しない外部装置に表示させたり音声を発生させる等して、当該放射線画像撮影装置１で断線が生じている可能性があることを報知させたりするように構成することが可能である。さらに、コンソール５０や放射線画像撮影装置１、外部装置等の複数の装置上でその旨を表示したり音声を発生させたりするように構成することも可能である。
【０１２９】
このように構成すれば、放射線技師等の撮影者が、その放射線画像撮影装置１を放射線画像撮影に用いないようにしたり、サービスマンを呼んで放射線画像撮影装置１を修理させたり、或いは放射線画像撮影装置１を製造元等に送って修理を依頼するなど、適切な対応を取ることが可能となる。
【０１３０】
［効果］
以上のように、本実施形態に係る放射線画像撮影システム１００や放射線画像撮影装置１によれば、放射線が照射されない状態で放射線画像撮影装置１で読み出されたオフセットデータＯの信号線６や走査線５ごとの統計値Ｏstを算出し、ある信号線６について算出したオフセットデータＯの統計値Ｏstと他の信号線６について算出したオフセットデータＯの統計値Ｏstとの相違が許容範囲を越える信号線６が存在する場合や、ある走査線５について算出したオフセットデータＯの統計値Ｏstと他の走査線５について算出したオフセットデータＯの統計値Ｏstとの相違が許容範囲を越える走査線５が存在する場合に、当該放射線画像撮影装置１で断線が生じていると判定するように構成した。
【０１３１】
そのため、放射線画像撮影装置１を落下させ、落下の衝撃でセンサー基板４が割れたり（図６参照）、或いは、落下の衝撃や経年劣化等で信号線６や走査線５等の配線のセンサー基板４への取り付け部分（図７の入出力端子１１の部分参照）が剥がれる等して配線が断線した場合に、それを的確に判定することが可能となり、放射線画像撮影装置１に断線が生じているか否かを的確に判定することが可能となる。
【０１３２】
なお、本発明が上記の実施形態や各変形例等に限定されず、本発明の趣旨を逸脱しない限り、適宜変更可能であることは言うまでもない。
【符号の説明】
【０１３３】
１  放射線画像撮影装置
５  走査線
６  信号線
７  放射線検出素子
８  ＴＦＴ（スイッチ素子）
１５  走査駆動手段
１７  読み出し回路
２２  制御手段
２５  通信部（通信手段）
５０  コンソール
１００  放射線画像撮影システム
Ｄ  画像データ（データ）
ｄｋ  区分
Ｏ  オフセットデータ（データ）
Ｏ＊  第２のオフセットデータ
Ｏst  統計値
ΔＯ  差分
【図１】
0006569337.tif 000002
【図２】
0006569337.tif 000003
【図３】
0006569337.tif 000004
【図４】
0006569337.tif 000005
【図５】
0006569337.tif 000006
【図６】
0006569337.tif 000007
【図７】
0006569337.tif 000008
【図８】
0006569337.tif 000009
【図９】
0006569337.tif 000010
【図１０】
0006569337.tif 000011
【図１１】
0006569337.tif 000012
【図１２】
0006569337.tif 000013
【図１３】
0006569337.tif 000014